(57)【要約】  【課題】  画像自体に改変を加えることなく、画像を記録する非電磁媒体への情報の記録若しくは非電磁媒体からの情報の読み出しを行うことのできる画像処理装置および方法並びにプログラムを提供する。  【解決手段】  画像データ入力部１１が電磁媒体に記録されている画像データを読み取り、情報入力部１２が、画像データに付加されている属性等の情報を読み取る。そして、情報変換部１３が、情報入力部１２が読み取った情報に基づいてビット列を生成し、画像方向変換部１４が、情報入力部１２が生成したビット列にしたがって、画像に回転処理と変換処理との少なくとも一方を施し、画像の向きで情報を表すようにし、これらの画像を画像出力部１５が一連の画像として非電磁媒体に記録する。【選択図】        図１
2006101176.tif 000002
【特許請求の範囲】
【請求項１】
電磁媒体に記録されている一連の画像を、非電磁媒体に連続的に出力する画像処理装置において、
情報を入力する情報入力手段と、
前記情報入力手段により入力された情報をビット列に変換する情報変換手段と、
電磁媒体に記憶されている一連の画像を順次読み出す画像入力手段と、
前記情報変換手段により変換された情報に基づいて、前記画像入力手段が読み出した画像の方向を順次変換する画像方向変換手段と、
前記画像方向変換手段で変換された画像の方向に従って、前記前記画像入力手段が読み出した画像を非電磁媒体に出力する画像出力手段と
を具備することを特徴とする画像処理装置。
【請求項２】
前記画像方向変換手段は、前記画像入力手段が読み出した画像に対して、回転変換と鏡像変換との少なくとも一方を施すことを特徴とする請求項１記載の画像処理装置。
【請求項３】
前記情報入力手段は、前記画像入力手段が画像を読み出す電磁媒体に、該画像とともに記録されている情報を入力することを特徴とする請求項１記載の画像処理装置。
【請求項４】
非電磁媒体に連続的に記録されている画像を、電磁媒体に一連の画像として出力する画像処理装置において、
非電磁媒体に記憶されている一連の画像を順次読み出す画像入力手段と、
前記画像入力手段が読み出した画像の方向を特定するとともに、該画像を正立させる画像方向変換手段と、
前記画像方向変換手段により正立させられた画像を電磁媒体に出力する画像出力手段と、
前記画像方向変換手段が順次特定した画像の方向をビット列として、該ビット列に基づく情報に変換する情報変換手段と、
前記情報変換手段が変換した情報を出力する情報出力手段と
を具備することを特徴とする画像処理装置。
【請求項５】
前記画像方向変換手段は、回転変換と鏡像変換との少なくとも一方が施された画像を正立させることを特徴とする請求項４記載の画像処理装置。
【請求項６】
前記情報出力手段は、前記画像出力手段が画像を出力する電磁媒体に、該画像とともに前記情報変換手段が変換した情報を記録することを特徴とする請求項４記載の画像処理装置。
【請求項７】
第１の非電磁媒体に連続的に記録されている画像を、第２の非電磁媒体に連続的に出力する画像処理装置において、
情報を入力する情報入力手段と、
前記情報入力手段により入力された情報をビット列に変換する情報変換手段と、
第１の非電磁媒体に記憶されている一連の画像を順次読み出す画像入力手段と、
前記情報変換手段により変換された情報に基づいて、前記画像入力手段が読み出した画像の方向を順次変換する画像方向変換手段と、
前記画像方向変換手段で変換された画像の方向に従って、前記前記画像入力手段が読み出した画像を第２の非電磁媒体に出力する画像出力手段と
を具備することを特徴とする画像処理装置。
【請求項８】
第１の非電磁媒体に連続的に記録されている画像を、第２の非電磁媒体に連続的に出力する画像処理装置において、
第１の非電磁媒体に記憶されている一連の画像を順次読み出す画像入力手段と、
前記画像入力手段が読み出した画像の方向を特定するとともに、該画像を正立させる画像方向変換手段と、
前記画像方向変換手段により正立させられた画像を第２の非電磁媒体に出力する画像出力手段と、
前記画像方向変換手段が順次特定した画像の方向をビット列として、該ビット列に基づく情報に変換する情報変換手段と、
前記情報変換手段が変換した情報を出力する情報出力手段と
を具備することを特徴とする画像処理装置。
【請求項９】
電磁媒体に記録されている一連の画像を、非電磁媒体に連続的に出力する画像処理装置における画像処理方法であって、
電磁媒体に記憶されている一連の画像を順次読み出し、該読み出した画像の方向を、入力された情報をビット列に変換した値にしたがって変換し、該方向を変換した画像を非電磁媒体に出力することを特徴とする画像処理方法。
【請求項１０】
非電磁媒体に連続的に記録されている画像を、電磁媒体に一連の画像として出力する画像処理装置における画像処理方法であって、
非電磁媒体に記憶されている一連の画像を順次読み出し、該読み出した画像の方向を特定するとともに該画像を正立させ、該正立させた画像を電磁媒体に出力し、前記画像の方向をビット列として、該ビット列に基づく情報に変換して出力することを特徴とする画像処理方法。
【請求項１１】
第１の非電磁媒体に連続的に記録されている画像を、第２の非電磁媒体に連続的に出力する画像処理装置における画像処理方法であって、
第１の非電磁媒体に記憶されている一連の画像を順次読み出し、該読み出した画像の方向を、入力された情報をビット列に変換した値にしたがって変換し、該方向を変換した画像を第２の非電磁媒体に出力することを特徴とする画像処理方法。
【請求項１２】
第１の非電磁媒体に連続的に記録されている画像を、第２の非電磁媒体に連続的に出力する画像処理装置における画像処理方法であって、
第１の非電磁媒体に記憶されている一連の画像を順次読み出し、該読み出した画像の方向を特定するとともに該画像を正立させ、該正立させた画像を第２の非電磁媒体に出力し、前記画像の方向をビット列として、該ビット列に基づく情報に変換して出力することを特徴とする画像処理方法。
【請求項１３】
電磁媒体に記録されている一連の画像を、非電磁媒体に連続的に出力する画像処理装置としてコンピュータを動作させる画像処理プログラムにおいて、
電磁媒体に記憶されている一連の画像を順次読み出す読出処理と、
前記読出処理で読み出した画像の方向を、入力された情報をビット列に変換した値にしたがって変換する変換処理と、
前記変換処理で方向が変換された画像を非電磁媒体に出力する出力処理と
を前記コンピュータに実行させることを特徴とする画像処理プログラム。
【請求項１４】
非電磁媒体に連続的に記録されている画像を、電磁媒体に一連の画像として出力する画像処理装置としてコンピュータを動作させる画像処理プログラムにおいて、
非電磁媒体に記憶されている一連の画像を順次読み出す読出処理と、
前記読出処理で読み出した画像の方向を特定するとともに該画像を正立させる方向特定処理と、
前記方向特定処理で正立させた画像を電磁媒体に出力する画像出力処理と、
前記方向特定処理で特定した画像の方向をビット列として、該ビット列に基づく情報に変換して出力する情報出力処理と
を前記コンピュータに実行させることを特徴とする画像処理プログラム。
【請求項１５】
第１の非電磁媒体に連続的に記録されている画像を、第２の非電磁媒体に連続的に出力する画像処理装置としてコンピュータを動作させる画像処理プログラムにおいて、
第１の非電磁媒体に記憶されている一連の画像を順次読み出す読出処理と、
前記読出処理で読み出した画像の方向を、入力された情報をビット列に変換した値にしたがって変換する変換処理と、
前記変換処理で方向が変換された画像を第２の非電磁媒体に出力する出力処理と
を前記コンピュータに実行させることを特徴とする画像処理プログラム。
【請求項１６】
第１の非電磁媒体に連続的に記録されている画像を、第２の非電磁媒体に連続的に出力する画像処理装置としてコンピュータを動作させる画像処理プログラムにおいて、
第１の非電磁媒体に記憶されている一連の画像を順次読み出す読出処理と、
前記読出処理で読み出した画像の方向を特定するとともに該画像を正立させる方向特定処理と、
前記方向特定処理で正立させた画像を第２の非電磁媒体に出力する画像出力処理と、
前記方向特定処理で特定した画像の方向をビット列として、該ビット列に基づく情報に変換して出力する情報出力処理と
を前記コンピュータに実行させることを特徴とする画像処理プログラム。
【発明の詳細な説明】
【技術分野】
【０００１】
本発明は、画像処理装置および方法並びにプログラムに関し、特に、非電磁媒体への画像の出力若しくは非電磁媒体からの画像の入力を行う画像処理装置および方法並びにプログラムに関する。
【背景技術】
【０００２】
近年、コンピュータの普及に伴って、様々な文書が電子化されるようになっている。電子化された文書は、電磁媒体に電磁的に記録されるのが一般的である。電磁媒体に文書を記録する場合には、文書自体はもちろんのこと、文書の管理に有用な日付や作成者等の属性情報を併せて記録することができる。
【０００３】
一方、文書の記録には、紙やマイクロフィルムといった非電磁媒体が用いられることも多い。これら非電磁媒体へ文書を記録する場合には、記録する文書を画像として、非電磁媒体に記録するが、この場合には、単純に属性情報を記録することができない。非電磁媒体に属性情報を併せて記憶する場合には、画像内に電子透かしを埋め込むこと等により行われる（例えば、特許文献１参照）。
【０００４】
しかしながら、画像内に電子透かしを埋め込む処理は、画像に対して加工を加える処理であるため、マイクロフィルムへの記録など、画像の原本性を保証する必要がある場合には不向きである。
【０００５】
なお、マイクロフィルムへ画像を記録する技術には、特許文献２に記載されたものなどがある。
【特許文献１】特開２００４−４０１７９号公報
【特許文献２】特開平６−８６０５５号公報
【発明の開示】
【発明が解決しようとする課題】
【０００６】
前述したように、紙やマイクロフィルム等の非電磁媒体に、画像を記録する場合には、その画像に対して属性情報等を付加しようとすると、電子透かしの埋め込みを行うなど、画像に対して加工を施す必要があった。
【０００７】
しかしながら、非電磁媒体へ画像を記録する場合、画像の原本性を保証しなければならない場合等、画像に対して加工を施すことができないこともある。
【０００８】
そこで、本発明は、画像自体に改変を加えることなく、画像を記録する非電磁媒体への情報の記録若しくは非電磁媒体からの情報の読み出しを行うことのできる画像処理装置および方法並びにプログラムを提供することを目的とする。
【課題を解決するための手段】
【０００９】
上述した目的を達成するため、請求項１の発明は、電磁媒体に記録されている一連の画像を、非電磁媒体に連続的に出力する画像処理装置において、情報を入力する情報入力手段と、前記情報入力手段により入力された情報をビット列に変換する情報変換手段と、電磁媒体に記憶されている一連の画像を順次読み出す画像入力手段と、前記情報変換手段により変換された情報に基づいて、前記画像入力手段が読み出した画像の方向を順次変換する画像方向変換手段と、前記画像方向変換手段で変換された画像の方向に従って、前記前記画像入力手段が読み出した画像を非電磁媒体に出力する画像出力手段とを具備することを特徴とする。
【００１０】
また、請求項２の発明は、請求項１の発明において、前記画像方向変換手段は、前記画像入力手段が読み出した画像に対して、回転変換と鏡像変換との少なくとも一方を施すことを特徴とする。
【００１１】
また、請求項３の発明は、請求項１の発明において、前記情報入力手段は、前記画像入力手段が画像を読み出す電磁媒体に、該画像とともに記録されている情報を入力することを特徴とする。
【００１２】
また、請求項４の発明は、非電磁媒体に連続的に記録されている画像を、電磁媒体に一連の画像として出力する画像処理装置において、非電磁媒体に記憶されている一連の画像を順次読み出す画像入力手段と、前記画像入力手段が読み出した画像の方向を特定するとともに、該画像を正立させる画像方向変換手段と、前記画像方向変換手段により正立させられた画像を電磁媒体に出力する画像出力手段と、前記画像方向変換手段が順次特定した画像の方向をビット列として、該ビット列に基づく情報に変換する情報変換手段と、前記情報変換手段が変換した情報を出力する情報出力手段とを具備することを特徴とする。
【００１３】
また、請求項５の発明は、請求項４の発明において、前記画像方向変換手段は、回転変換と鏡像変換との少なくとも一方が施された画像を正立させることを特徴とする。
【００１４】
また、請求項６の発明は、請求項４の発明において、前記情報出力手段は、前記画像出力手段が画像を出力する電磁媒体に、該画像とともに前記情報変換手段が変換した情報を記録することを特徴とする。
【００１５】
また、請求項７の発明は、第１の非電磁媒体に連続的に記録されている画像を、第２の非電磁媒体に連続的に出力する画像処理装置において、情報を入力する情報入力手段と、前記情報入力手段により入力された情報をビット列に変換する情報変換手段と、第１の非電磁媒体に記憶されている一連の画像を順次読み出す画像入力手段と、前記情報変換手段により変換された情報に基づいて、前記画像入力手段が読み出した画像の方向を順次変換する画像方向変換手段と、前記画像方向変換手段で変換された画像の方向に従って、前記前記画像入力手段が読み出した画像を第２の非電磁媒体に出力する画像出力手段とを具備することを特徴とする。
【００１６】
また、請求項８の発明は、第１の非電磁媒体に連続的に記録されている画像を、第２の非電磁媒体に連続的に出力する画像処理装置において、第１の非電磁媒体に記憶されている一連の画像を順次読み出す画像入力手段と、前記画像入力手段が読み出した画像の方向を特定するとともに、該画像を正立させる画像方向変換手段と、前記画像方向変換手段により正立させられた画像を第２の非電磁媒体に出力する画像出力手段と、前記画像方向変換手段が順次特定した画像の方向をビット列として、該ビット列に基づく情報に変換する情報変換手段と、前記情報変換手段が変換した情報を出力する情報出力手段とを具備することを特徴とする。
【００１７】
また、請求項９の発明は、電磁媒体に記録されている一連の画像を、非電磁媒体に連続的に出力する画像処理装置における画像処理方法であって、電磁媒体に記憶されている一連の画像を順次読み出し、該読み出した画像の方向を、入力された情報をビット列に変換した値にしたがって変換し、該方向を変換した画像を非電磁媒体に出力することを特徴とする。
【００１８】
また、請求項１０の発明は、非電磁媒体に連続的に記録されている画像を、電磁媒体に一連の画像として出力する画像処理装置における画像処理方法であって、非電磁媒体に記憶されている一連の画像を順次読み出し、該読み出した画像の方向を特定するとともに該画像を正立させ、該正立させた画像を電磁媒体に出力し、前記画像の方向をビット列として、該ビット列に基づく情報に変換して出力することを特徴とする。
【００１９】
また、請求項１１の発明は、第１の非電磁媒体に連続的に記録されている画像を、第２の非電磁媒体に連続的に出力する画像処理装置における画像処理方法であって、第１の非電磁媒体に記憶されている一連の画像を順次読み出し、該読み出した画像の方向を、入力された情報をビット列に変換した値にしたがって変換し、該方向を変換した画像を第２の非電磁媒体に出力することを特徴とする。
【００２０】
また、請求項１２の発明は、第１の非電磁媒体に連続的に記録されている画像を、第２の非電磁媒体に連続的に出力する画像処理装置における画像処理方法であって、第１の非電磁媒体に記憶されている一連の画像を順次読み出し、該読み出した画像の方向を特定するとともに該画像を正立させ、該正立させた画像を第２の非電磁媒体に出力し、前記画像の方向をビット列として、該ビット列に基づく情報に変換して出力することを特徴とする。
【００２１】
また、請求項１３の発明は、電磁媒体に記録されている一連の画像を、非電磁媒体に連続的に出力する画像処理装置としてコンピュータを動作させる画像処理プログラムにおいて、電磁媒体に記憶されている一連の画像を順次読み出す読出処理と、前記読出処理で読み出した画像の方向を、入力された情報をビット列に変換した値にしたがって変換する変換処理と、前記変換処理で方向が変換された画像を非電磁媒体に出力する出力処理とを前記コンピュータに実行させることを特徴とする。
【００２２】
また、請求項１４の発明は、非電磁媒体に連続的に記録されている画像を、電磁媒体に一連の画像として出力する画像処理装置としてコンピュータを動作させる画像処理プログラムにおいて、非電磁媒体に記憶されている一連の画像を順次読み出す読出処理と、前記読出処理で読み出した画像の方向を特定するとともに該画像を正立させる方向特定処理と、前記方向特定処理で正立させた画像を電磁媒体に出力する画像出力処理と、前記方向特定処理で特定した画像の方向をビット列として、該ビット列に基づく情報に変換して出力する情報出力処理とを前記コンピュータに実行させることを特徴とする。
【００２３】
また、請求項１５の発明は、第１の非電磁媒体に連続的に記録されている画像を、第２の非電磁媒体に連続的に出力する画像処理装置としてコンピュータを動作させる画像処理プログラムにおいて、第１の非電磁媒体に記憶されている一連の画像を順次読み出す読出処理と、前記読出処理で読み出した画像の方向を、入力された情報をビット列に変換した値にしたがって変換する変換処理と、前記変換処理で方向が変換された画像を第２の非電磁媒体に出力する出力処理とを前記コンピュータに実行させることを特徴とする。
【００２４】
また、請求項１６の発明は、第１の非電磁媒体に連続的に記録されている画像を、第２の非電磁媒体に連続的に出力する画像処理装置としてコンピュータを動作させる画像処理プログラムにおいて、第１の非電磁媒体に記憶されている一連の画像を順次読み出す読出処理と、前記読出処理で読み出した画像の方向を特定するとともに該画像を正立させる方向特定処理と、前記方向特定処理で正立させた画像を第２の非電磁媒体に出力する画像出力処理と、前記方向特定処理で特定した画像の方向をビット列として、該ビット列に基づく情報に変換して出力する情報出力処理とを前記コンピュータに実行させることを特徴とする。
【発明の効果】
【００２５】
本発明によれば、非電磁媒体に記録する画像の方向により情報を表すように構成したので、画像自体に加工を加えることなく、非電磁媒体に情報を併せて記録することが可能となる。
【発明を実施するための最良の形態】
【００２６】
以下、本発明に係る画像処理装置および方法並びにプログラムの一実施の形態について、添付図面を参照して詳細に説明する。なお、以下に説明する各実施例における画像処理装置は、専用の装置として構成することができるのはもちろんのこと、コンピュータとこれを動作させるプログラム、コンピュータの周辺機器として動作する入出力装置とを組み合わせて構成することもできる。
【実施例１】
【００２７】
図１は、本発明を適用した画像処理装置の機能的な構成を示すブロック図である。同図に示すように、画像処理装置１０は、画像データ入力部１１と、情報入力部１２、情報変換部１３、画像方向変換部１４、画像出力部１５を具備して構成される。
【００２８】
画像データ入力部１１は、電磁媒体に記録されている画像データ若しくは画像データのを生成するための電子文書を読み出す。
【００２９】
情報入力部１２は、画像データ入力部１１が読み出した画像データ若しくは電子文書に付加されている属性情報を取得するとともに、操作者からの情報入力があった場合には、これを受け付ける。
【００３０】
情報変換部１３は、情報入力部１２が画像データ等から取得した情報若しくは操作者から受け付けた情報を、ビット列で表現できる値に変換する。この変換は、予め定めた方法であればどのように行ってもよいが、最も単純には、情報入力部１２に入力された情報をテキスト文字を表す１バイト若しくは２バイトのビット列に変換することで行う。
【００３１】
画像方向変換部１４は、画像データ入力部１２が読み出した画像データ若しくは画像入力部１２が読み出した電子文書に基づく画像データを、情報変換部１３が変換したビット列に応じて変換する。この変換については、後述する。
【００３２】
画像出力部１５は、画像変換部１４で変換が施された画像を、一連の画像として、非電磁媒体に出力する。
【００３３】
ここで、画像方向変換部１４による変換処理について説明する。画像方向変換部１４では、画像データ入力部１２が読み出した画像等に対して、回転処理と、鏡像処理とのいずれか若しくは両方を行う。
【００３４】
回転処理は、原画像を１８０度回転させる処理で、例えば、図２（ａ）に示す原画像を、図２（ｂ）に示すように変換する処理である。
【００３５】
鏡像処理は、原画像の水平方向の鏡像に変換する処理で、例えば、図２（ａ）に示す原画像を、図２（ｃ）に変換する処理である。
【００３６】
また、回転処理と鏡像処理の両者を行った場合には、図２（ａ）に示す原画像は、図２（ｄ）に示すように変換される。
【００３７】
画像方向変換部１４は、これらの処理を、情報変換部１３が変換したビット列にしたがって、順次実行する。例えば、画像方向変換部１４が回転処理のみを行う場合には、図３（ａ）に示すように、ビット列が「０」であれば原画像のまま出力し、ビット列が「１」であれば回転画像を出力する。これにより、１画像が１ビットの情報を表すことになり、画像を一連の画像として出力、例えば、図４（ａ）に示すように出力することで、所定の情報が付加されたものを画像出力部１５が出力することが可能となる。
【００３８】
同様に、画像方向変換部１４が鏡像処理のみを行う場合には、図３（ｂ）に示すように、ビット列が「０」であれば原画像のまま出力し、ビット列が「１」であれば鏡像画像を出力し、図４（ｂ）に示すように、一連の画像として出力する。
【００３９】
また、画像方向変換部１４が回転処理と鏡像処理の両者を行う場合には、図３（ｃ）に示すように、ビット列が「００」であれば原画像のまま出力し、ビット列が「０１」であれば回転画像を、ビット列が「１０」であれば鏡像画像を、ビット列が「１１」であれば回転画像の鏡像画像を出力する。これにより、１画像が２ビットの情報を表すことになり、画像を一連の画像として出力、例えば、図４（ｃ）に示すように出力することで、所定の情報が付加されたものを画像出力部１５が出力することが可能となる。
【００４０】
非電磁媒体の１つであるマイクロフィルムは、１ロールで数千枚の画像を記録するため、例えば、１ロールで２０００枚の画像を記録するとすれば、各画像が１ビットの情報を表した場合で２０００ビット、各画像が２ビットの情報を表した場合で４０００ビットに相当する情報を画像とともに記録することが可能である。
【００４１】
なお、非電磁媒体に画像を記録する際に、画像の階調を反転する処理が許容される場合には、階調反転処理を画像の回転処理と鏡像処理に加え、１画像で３ビットの情報を表すようにすることも可能である。
【実施例２】
【００４２】
図５は、実施例２における画像処理装置の機能的な構成を示すブロック図である。同図に示すように、画像処理装置２０は、画像入力部２１と、画像方向変換部２２、情報変換部２３、情報出力部２４、画像データ出力部２５を具備して構成される。
【００４３】
画像入力部２１は、非電磁媒体に記録されている画像を読み取り、画像データに変換する。
【００４４】
画像方向変換部２２は、画像入力部２１が出力する画像データをの変換を行う。画像入力部２１が読み取る非電磁媒体に記録されている画像は、実施例１で説明した画像処理装置１０により記録されたものでるため、その画像は、回転処理や鏡像処理が施されたものであるため、ここでは、画像の正立等の処理を行って、原画像への変換を行う。回転処理や鏡像処理が施されているか否かの判断は、画像中の文字を文字認識処理で認識するなどの処理により行う。
【００４５】
情報変換部２３は、画像方向変換部２２が画像方向を変換する前に認識した画像の方向に基づいてビット列を生成し、生成したビット列を文字等の情報に変換する。
【００４６】
情報出力部２４は、情報変換部２３が変換した情報を画像データ出力部２５に出力するか、別途、操作者が指定した方法で出力する。
【００４７】
画像データ出力部２５は、画像方向変換部２２で変換された画像データに、情報出力部２４が出力した情報を属性情報として付加して、電磁媒体に記憶する。
【００４８】
この画像処理装置２０は、実施例１で説明した画像処理装置１０で情報を付加した非電磁媒体から情報を読み取る装置である。このため、画像方向変換部２２では、画像データの方向を特定する処理を行うだけでもよく、画像方向を変換せずに出力するようにしてもよい。また、画像データ出力部２５では、必ずしも画像データを電磁媒体に記録する必要はなく、情報出力部２４から出力された情報を操作者が確認するだけの処理を行うようにしてもよい。
【実施例３】
【００４９】
図６は、実施例３における画像処理装置の機能的な構成を示すブロック図である。同図に示すように、画像処理装置３０は、画像入力部３１と、情報入力部３２、情報変換部３３、画像方向変換部３４、画像出力部３５を具備して構成される。
【００５０】
画像入力部３１は、非電磁媒体に記録されている画像を読み取り、画像データに変換する。情報入力部３２は、操作者からの情報入力を受け付ける。情報変換部３３は、情報入力部３２が操作者から受け付けた情報を、ビット列で表現できる値に変換する。画像方向変換部３４は、画像入力部３２が出力する画像データを、情報変換部３３が変換したビット列に応じて変換する。画像出力部３５は、画像変換部３４で変換が施された画像データを、一連の画像として非電磁媒体に出力する。
【００５１】
この画像処理装置３０は、非電磁媒体から読み出した画像に情報を付加して、別の非電磁媒体に記録するものであり、例えば、紙に印刷された論文等をマイクロフィルムに記録する場合や、情報の付加されていないマイクロフィルムから画像を読み出して、情報を付加して別のマイクロフィルムに記録する場合などに利用することができるものである。
【００５２】
この画像処理装置３０においても、実施例１で説明した画像処理装置１０と同様に、情報変換部３３が変換した情報にしたがって、画像方向変換部３４が画像の方向を変換することで、各画像に１ビット若しくは２ビットの情報を表現させるものである。
【００５３】
なお、画像処理装置３０による情報付加の動作は、実施例１で説明した画像処理装置１０の動作と同様であるため、ここでの説明は省略する。
【実施例４】
【００５４】
図７は、実施例４における画像処理装置の機能的な構成を示すブロック図である。同図に示すように、画像処理装置４０は、画像入力部４１と、画像方向変換部４２、情報変換部４３、情報出力部４４、画像出力部４５を具備して構成される。
【００５５】
画像入力部４１は、非電磁媒体に記録されている画像を読み取り、画像データに変換する。
【００５６】
画像方向変換部４２は、画像入力部４１が出力する画像データをの変換を行う。画像入力部４１が読み取る非電磁媒体に記録されている画像は、実施例１で説明した画像処理装置１０により記録されたものでるため、その画像は、回転処理や鏡像処理が施されたものであるため、ここでは、画像の正立等の処理を行って、原画像への変換を行う。回転処理や鏡像処理が施されているか否かの判断は、画像中の文字を文字認識処理で認識するなどの処理により行う。
【００５７】
情報変換部４３は、画像方向変換部４２が画像方向を変換する前に認識した画像の方向に基づいてビット列を生成し、生成したビット列を文字等の情報に変換する。
【００５８】
情報出力部４４は、情報変換部４３が変換した情報を画像出力部４５に出力するか、別途、操作者が指定した方法で出力する。
【００５９】
画像出力部４５は、画像方向変換部４２で変換された画像データに基づく画像を、非電磁媒体に記録する。
【００６０】
この画像処理装置４０は、実施例１で説明した画像処理装置１０若しくは実施例３で説明した画像処理装置３０で情報を付加した非電磁媒体から情報を読み取る装置である。このため、画像方向変換部４２では、画像データの方向を特定する処理を行うだけでもよく、画像方向を変換せずに出力するようにしてもよい。また、画像出力部４５では、必ずしも画像を非電磁媒体に記録する必要はなく、情報出力部４４から出力された情報を操作者が確認するだけの処理を行うようにしてもよい。
【図面の簡単な説明】
【００６１】
【図１】本発明を適用した画像処理装置の機能的な構成を示すブロック図である。
【図２】画像方向変換部１４による変換処理を説明するための図である。
【図３】画像方向変換部１４による変換処理を説明するための図である。
【図４】画像方向変換部１４による変換処理を説明するための図である。
【図５】実施例２における画像処理装置の機能的な構成を示すブロック図である。
【図６】実施例３における画像処理装置の機能的な構成を示すブロック図である。
【図７】実施例４における画像処理装置の機能的な構成を示すブロック図である。
【符号の説明】
【００６２】
１０    画像処理装置
１１    画像データ入力部
１２    情報入力部
１３    情報変換部
１４    画像方向変換部
１５    画像出力部
２０    画像処理装置
２１    画像入力部
２２    画像方向変換部
２３    情報変換部
２４    情報出力部
２５    画像データ出力部
３０    画像処理装置
３１    画像入力部
３２    情報入力部
３３    情報変換部
３４    画像方向変換部
３５    画像出力部
４０    画像処理装置
４１    画像入力部
４２    画像方向変換部
４３    情報変換部
４４    情報出力部
４５    画像出力部
【図１】
2006101176.tif 000003
【図２】
2006101176.tif 000004
【図３】
2006101176.tif 000005
【図４】
2006101176.tif 000006
【図５】
2006101176.tif 000007
【図６】
2006101176.tif 000008
【図７】
2006101176.tif 000009